(57)【特許請求の範囲】
【請求項１】
主支持板を含み、前記主支持板の右端面には切替軸が回転可能に設置され、前記切替軸の上端面には回転モータが固定的に設置され、前記回転モータの上端には回転軸が伝動可能に連結され、前記回転軸の上端には支持機構が設置され、表面処理を行う前にパラボラアンテナを前記支持機構により固定し且つ前記パラボラアンテナの開口を上方に向かせ、
前記パラボラアンテナの上側には研磨機構が設置され、前記研磨機構は構成板を含み、前記構成板の下端面には柔軟性カバーが固定的に連結され、前記柔軟性カバーと前記構成板との間に空気入れ空間が形成され、前記柔軟性カバーの下表面にはサンドペーパーが取り外し可能に装着され、前記構成板の上側にはエアポンプが設置され、前記エアポンプは連結管により前記空気入れ空間と連通しており、前記連結管の中には逆止弁が設置され、前記構成板の中には空気抜きバルブが設置され、前記構成板は下降すると前記サンドペーパーを前記パラボラアンテナに密着させ、前記エアポンプは作動すると前記空気入れ空間の中に空気を入れ、前記サンドペーパーを前記パラボラアンテナにさらに密着させ、前記空気入れ空間の中の空気が指定気圧に至ると前記エアポンプを止め、即ち前記サンドペーパーを異なるサイズの前記パラボラアンテナの表面に密着させられ、前記回転モータを作動させることで前記パラボラアンテナが回転して研磨され、
前記主支持板の右端面には前記切替軸の下側に位置する下支持板が固定的に設置され、前記下支持板の前端面には電動レールが固定的に設置され、前記電動レールの前側には運動板が装着され、前記運動板の上端面には風吹出口と塗料噴きつけ口とが設置され、前記風吹出口が前記塗料噴きつけ口の左側に位置し、塗料を噴きつける時に前記運動板が右方から左方へと運動することを特徴とする衛星信号に対する受信機の表面処理装置。
【請求項２】
前記下支持板の中には前方に開口するスライド空間が二つ設置され、二つの前記スライド空間はそれぞれ前記電動レールの上下側に位置し、上側にある前記スライド空間の中には第一スライダが左右対称になるように且つスライド可能に設置され、下側にある前記スライド空間の中には第二スライダが左右対称になるように且つスライド可能に設置され、前記第二スライダと前記第一スライダとはそれぞれスクリューとねじ山により連結され、前記スクリューが回転すると、前記第二スライダが互いに近寄り、前記第一スライダが互いに近寄り、上側にある前記スクリューが動力モータと伝動可能に連結され、上下の前記スクリューとはプーリにより伝動可能に連結され、前記第一スライダの前端面には上定位板が固定的に設置され、左右の前記上定位板において対向する端面には定位センサーが固定的に設置され、前記パラボラアンテナは回転して開口が下方に向いた後、前記動力モータが作動して左右の前記定位センサーをそれぞれ前記パラボラアンテナの左右両端と当接させ、そして前記定位センサーが前記動力モータを止め、前記パラボラアンテナの直径を計測でき、前記第二スライダの前端面には下定位板が固定的に設置され、前記下定位板の上端面には定位スイッチが固定的に設置され、前記運動板の下端面にはスイッチが固定的に設置され、前記スイッチが右側にある前記定位スイッチと当接した後、前記風吹出口と前記塗料噴きつけ口とが作動し、前記スイッチが左側にある前記定位スイッチと当接した後、前記風吹出口と前記塗料噴きつけ口とが作動を止めることを特徴とする請求項１に記載の衛星信号に対する受信機の表面処理装置。
【請求項３】
前記主支持板の右端面には右方に開口する案内スライド溝が形成され、前記案内スライド溝の底壁には旋転モータが固定的に設置され、前記旋転モータの上側には親ねじが伝動可能に連結され、前記案内スライド溝の中には案内スライダがスライド可能に設置され、前記案内スライダが前記親ねじとねじ山により連結され、前記案内スライダの右端面には装着板が固定的に設置され、前記構成板は連結棒により前記装着板の下端面と固定的に連結され、前記エアポンプが前記装着板の下端面に固定的に設置されていることを特徴とする請求項１に記載の衛星信号に対する受信機の表面処理装置。
【請求項４】
前記支持機構は前記回転軸の上端に固定的に設置された旋転板を含み、前記旋転板の上端面には載置板が固定的に設置され、前記載置板の中には一つの割れ目があり、割れ目から前記パラボラアンテナを入れられ、割れ目の中には電磁石が設置され、前記パラボラアンテナは開口が上方に向くように割れ目の中に置かれ、前記電磁石が通電して前記パラボラアンテナを吸引することで前記パラボラアンテナを固定できることを特徴とする請求項１に記載の衛星信号に対する受信機の表面処理装置。
【請求項５】
前記主支持板の中には切替モータが固定的に設置され、前記切替軸と前記切替モータとが伝動可能に連結されていることを特徴とする請求項１に記載の衛星信号に対する受信機の表面処理装置。
【発明の詳細な説明】
【技術分野】
【０００１】
本願発明は衛星信号に対する受信機技術分野に関し、具体的には衛星信号に対する受信機の表面処理装置である。
【背景技術】
【０００２】
地上で衛星信号を受信するには、通常、パラボラアンテナが使用される。パラボラアンテナは、放物曲面をした反射器を持つ凹型アンテナである。パラボラアンテナは屋外で長時間使用されると、雨水や空気、日差しにより、反射器の表面の塗料が徐々に落ち、そして反射器が錆び、錆びがアンテナの表面に影響を与え、集束効果を低下させ、受け取った衛星信号も弱くなり、パラボラアンテナに対する錆落としは一般的に人力で行われ、時間と労力とを費やすほか、効率も低く、また、数多くのパラボラアンテナを処理すると、人力による処理はコストが高く、よって、上記の問題を解決するために、本願発明を衛星信号に対する受信機の表面処理装置を提供した。
【先行技術文献】
【特許文献】
【０００３】
【特許文献１】中国特許出願公開第１０７４９８４１１号明細書
【発明の概要】
【発明が解決しようとする課題】
【０００４】
本願は衛星信号に対する受信機の表面処理装置を提供し、上記の問題を解決することを目的とする。
【課題を解決するための手段】
【０００５】
本願発明は以下の技術プランにより実現される。
【０００６】
本願に記載の衛星信号に対する受信機の表面処理装置は、主支持板を含み、前記主支持板の右端面には切替軸が回転可能に設置され、前記切替軸の上端面には回転モータが固定的に設置され、前記回転モータの上端には回転軸が伝動可能に連結され、前記回転軸の上端には支持機構が設置され、表面処理を行う前にパラボラアンテナを前記支持機構により固定し且つ前記パラボラアンテナの開口を上方に向かせ、
前記パラボラアンテナの上側には研磨機構が設置され、前記研磨機構は構成板を含み、前記構成板の下端面には柔軟性カバーが固定的に連結され、前記柔軟性カバーと前記構成板との間に空気入れ空間が形成され、前記柔軟性カバーの下表面にはサンドペーパーが取り外し可能に装着され、前記構成板の上側にはエアポンプが設置され、前記エアポンプは連結管により前記空気入れ空間と連通しており、前記連結管の中には逆止弁が設置され、前記構成板の中には空気抜きバルブが設置され、前記構成板は下降すると前記サンドペーパーを前記パラボラアンテナに密着させ、前記エアポンプは作動すると前記空気入れ空間の中に空気を入れ、前記サンドペーパーを前記パラボラアンテナにさらに密着させ、前記空気入れ空間の中の空気が指定気圧に至ると前記エアポンプを止め、即ち前記サンドペーパーを異なるサイズの前記パラボラアンテナの表面に密着させられ、前記回転モータを作動させることで前記パラボラアンテナが回転して研磨され、
前記主支持板の右端面には前記切替軸の下側に位置する下支持板が固定的に設置され、前記下支持板の前端面には電動レールが固定的に設置され、前記電動レールの前側には運動板が装着され、前記運動板の上端面には風吹出口と塗料噴きつけ口とが設置され、前記風吹出口が前記塗料噴きつけ口の左側に位置し、塗料を噴きつける時に前記運動板が右方から左方へと運動する。
【０００７】
さらに、前記下支持板の中には前方に開口するスライド空間が二つ設置され、二つの前記スライド空間はそれぞれ前記電動レールの上下側に位置し、上側にある前記スライド空間の中には第一スライダが左右対称になるように且つスライド可能に設置され、下側にある前記スライド空間の中には第二スライダが左右対称になるように且つスライド可能に設置され、前記第二スライダと前記第一スライダとはそれぞれスクリューとねじ山により連結され、前記スクリューが回転すると、前記第二スライダが互いに近寄り、前記第一スライダが互いに近寄り、上側にある前記スクリューが動力モータと伝動可能に連結され、上下の前記スクリューとはプーリにより伝動可能に連結され、前記第一スライダの前端面には上定位板が固定的に設置され、左右の前記上定位板において対向する端面には定位センサーが固定的に設置され、前記パラボラアンテナは回転して開口が下方に向いた後、前記動力モータが作動して左右の前記定位センサーをそれぞれ前記パラボラアンテナの左右両端と当接させ、そして前記定位センサーが前記動力モータを止め、前記パラボラアンテナの直径を計測でき、前記第二スライダの前端面には下定位板が固定的に設置され、前記下定位板の上端面には定位スイッチが固定的に設置され、前記運動板の下端面にはスイッチが固定的に設置され、前記スイッチが右側にある前記定位スイッチと当接した後、前記風吹出口と前記塗料噴きつけ口とが作動し、前記スイッチが左側にある前記定位スイッチと当接した後、前記風吹出口と前記塗料噴きつけ口とが作動を止める。
【０００８】
さらに、前記主支持板の右端面には右方に開口する案内スライド溝が形成され、前記案内スライド溝の底壁には旋転モータが固定的に設置され、前記旋転モータの上側には親ねじが伝動可能に連結され、前記案内スライド溝の中には案内スライダがスライド可能に設置され、前記案内スライダが前記親ねじとねじ山により連結され、前記案内スライダの右端面には装着板が固定的に設置され、前記構成板は連結棒により前記装着板の下端面と固定的に連結され、前記エアポンプが前記装着板の下端面に固定的に設置されている。
【０００９】
さらに、前記支持機構は前記回転軸の上端に固定的に設置された旋転板を含み、前記旋転板の上端面には載置板が固定的に設置され、前記載置板の中には一つの割れ目があり、割れ目から前記パラボラアンテナを入れられ、割れ目の中には電磁石が設置され、前記パラボラアンテナは開口が上方に向くように割れ目の中に置かれ、前記電磁石が通電して前記パラボラアンテナを吸引することで前記パラボラアンテナを固定できる。
【００１０】
さらに、前記主支持板の中には切替モータが固定的に設置され、前記切替軸と前記切替モータとが伝動可能に連結されている。
【発明の効果】
【００１１】
本願発明の有益な効果は：本願発明はパラボラアンテナにサンドペーパーで研磨を行い、研磨が終わると自動的に塗料を噴きつけることで、パラボラアンテナの表面が処理され、人力による処理と比べて効率が向上し、また、本願発明は調整せずにサイズが異なるパラボラアンテナに適応でき、即ち本願発明は適応範囲が広く、大量のパラボラアンテナに対して処理を行える。
【図面の簡単な説明】
【００１２】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１３】
【図１】図１は本願発明の全体構成概略図
【図２】図２は図１におけるＡ―Ａの構成概略図
【図３】図３は図１におけるＢ―Ｂの構成概略図
【図４】図４は図１におけるＣ―Ｃの構成概略図
【発明を実施するための形態】
【００１４】
図１〜４を参照し、本願に記載の衛星信号に対する受信機の表面処理装置は、主支持板１０を含み、前記主支持板１０の右端面には切替軸２９が回転可能に設置され、前記切替軸２９の上端面には回転モータ２８が固定的に設置され、前記回転モータ２８の上端には回転軸２７が伝動可能に連結され、前記回転軸２７の上端には支持機構７０が設置され、表面処理を行う前にパラボラアンテナ２４を前記支持機構７０により固定し且つ前記パラボラアンテナ２４の開口を上方に向かせ、
前記パラボラアンテナ２４の上側には研磨機構７１が設置され、前記研磨機構７１は構成板５０を含み、前記構成板５０の下端面には柔軟性カバー２１が固定的に連結され、前記柔軟性カバー２１と前記構成板５０との間に空気入れ空間５１が形成され、前記柔軟性カバー２１の下表面にはサンドペーパー２２が取り外し可能に装着され、前記構成板５０の上側にはエアポンプ１７が設置され、前記エアポンプ１７は連結管１８により前記空気入れ空間５１と連通しており、前記連結管１８の中には逆止弁２０が設置され、前記構成板５０の中には空気抜きバルブ１９が設置され、前記構成板５０は下降すると前記サンドペーパー２２を前記パラボラアンテナ２４に密着させ、前記エアポンプ１７は作動すると前記空気入れ空間５１の中に空気を入れ、前記サンドペーパー２２を前記パラボラアンテナ２４にさらに密着させ、前記空気入れ空間５１の中の空気が指定気圧に至ると前記エアポンプ１７を止め、即ち前記サンドペーパー２２を異なるサイズの前記パラボラアンテナ２４の表面に密着させられ、前記回転モータ２８を作動させることで前記パラボラアンテナ２４が回転して研磨され、
前記主支持板１０の右端面には前記切替軸２９の下側に位置する下支持板３２が固定的に設置され、前記下支持板３２の前端面には電動レール３５が固定的に設置され、前記電動レール３５の前側には運動板３９が装着され、前記運動板３９の上端面には風吹出口３３と塗料噴きつけ口３８とが設置され、前記風吹出口３３が前記塗料噴きつけ口３８の左側に位置し、塗料を噴きつける時に前記運動板３９が右方から左方へと運動する。
【００１５】
有益的には、前記下支持板３２の中には前方に開口するスライド空間３７が二つ設置され、二つの前記スライド空間３７はそれぞれ前記電動レール３５の上下側に位置し、上側にある前記スライド空間３７の中には第一スライダ４６が左右対称になるように且つスライド可能に設置され、下側にある前記スライド空間３７の中には第二スライダ３４が左右対称になるように且つスライド可能に設置され、前記第二スライダ３４と前記第一スライダ４６とはそれぞれスクリュー３６とねじ山により連結され、前記スクリュー３６が回転すると、前記第二スライダ３４が互いに近寄り、前記第一スライダ４６が互いに近寄り、上側にある前記スクリュー３６が動力モータ４４と伝動可能に連結され、上下の前記スクリュー３６とはプーリ４３により伝動可能に連結され、前記第一スライダ４６の前端面には上定位板３０が固定的に設置され、左右の前記上定位板３０において対向する端面には定位センサー３１が固定的に設置され、前記パラボラアンテナ２４は回転して開口が下方に向いた後、前記動力モータ４４が作動して左右の前記定位センサー３１をそれぞれ前記パラボラアンテナ２４の左右両端と当接させ、そして前記定位センサー３１が前記動力モータ４４を止め、前記パラボラアンテナ２４の直径を計測でき、前記第二スライダ３４の前端面には下定位板４２が固定的に設置され、前記下定位板４２の上端面には定位スイッチ４１が固定的に設置され、前記運動板３９の下端面にはスイッチ４０が固定的に設置され、前記スイッチ４０が右側にある前記定位スイッチ４１と当接した後、前記風吹出口３３と前記塗料噴きつけ口３８とが作動し、前記スイッチ４０が左側にある前記定位スイッチ４１と当接した後、前記風吹出口３３と前記塗料噴きつけ口３８とが作動を止める。
【００１６】
有益的には、前記主支持板１０の右端面には右方に開口する案内スライド溝１２が形成され、前記案内スライド溝１２の底壁には旋転モータ１１が固定的に設置され、前記旋転モータ１１の上側には親ねじ１３が伝動可能に連結され、前記案内スライド溝１２の中には案内スライダ１４がスライド可能に設置され、前記案内スライダ１４が前記親ねじ１３とねじ山により連結され、前記案内スライダ１４の右端面には装着板１５が固定的に設置され、前記構成板５０は連結棒１６により前記装着板１５の下端面と固定的に連結され、前記エアポンプ１７が前記装着板１５の下端面に固定的に設置されている。
【００１７】
有益的には、前記支持機構７０は前記回転軸２７の上端に固定的に設置された旋転板２６を含み、前記旋転板２６の上端面には載置板２５が固定的に設置され、前記載置板２５の中には一つの割れ目があり、割れ目から前記パラボラアンテナ２４を入れられ、割れ目の中には電磁石２３が設置され、前記パラボラアンテナ２４は開口が上方に向くように割れ目の中に置かれ、前記電磁石２３が通電して前記パラボラアンテナ２４を吸引することで前記パラボラアンテナ２４を固定できる。
【００１８】
有益的には、前記主支持板１０の中には切替モータ４５が固定的に設置され、前記切替軸２９と前記切替モータ４５とが伝動可能に連結されている。
【００１９】
本願発明の作動手順は以下の通りである。
【００２０】
１、初期状態において、載置板２５が切替軸２９の上側に位置している。
２、パラボラアンテナ２４の開口を上方に向かせたままパラボラアンテナ２４を載置板２５の割れ目の中に置き、電磁石２３に通電することでパラボラアンテナ２４を吸引して固定する。
３、旋転モータ１１を作動させることで親ねじ１３を回転させ、案内スライダ１４が装着板１５を下降させ、そして連結棒１６により構成板５０を下降させ、構成板５０の下降でサンドペーパー２２がパラボラアンテナ２４の表面に密着する。
４、エアポンプ１７が作動して連結管１８により空気入れ空間５１の中に空気を入れ、サンドペーパー２２をパラボラアンテナ２４の表面に完全に密着させ、空気入れ空間５１の中の空気が指定気圧に至るとエアポンプ１７を止める。
５、回転モータ２８が作動して回転軸２７により旋転板２６を回転させ、そして載置板２５にパラボラアンテナ２４を回転させ、サンドペーパー２２によりパラボラアンテナ２４に研磨を行って錆を落とす。
６、研磨が終わると、旋転モータ１１が作動して装着板１５を上昇させて復帰させ、空気抜きバルブ１９が作動して空気入れ空間５１の中の空気を抜く。
７、切替モータ４５が作動して切替軸２９を百八十度回転させ、パラボラアンテナ２４の開口を下方に向かせる。
８、動力モータ４４が作動してプーリ４３の伝動により上下のスクリュー３６を回転させ、左右の第一スライダ４６が互いに近寄り、定位センサー３１がパラボラアンテナ２４の両端と当接した後、動力モータ４４を止め、そしてパラボラアンテナ２４の直径を計測する。
９、ここで下定位板４２がすでに対応位置まで辿り、電動レール３５が作動して運動板３９を左方へ運動させ、スイッチ４０が右側にある定位スイッチ４１と当接した後、風吹出口３３と塗料噴きつけ口３８とが作動する。
１０、風吹出口３３はパラボラアンテナ２４の表面から落とされた錆をパラボラアンテナ２４の表面から吹き飛ばし、塗料噴きつけ口３８は塗料をパラボラアンテナ２４の表面に噴きつけ、スイッチ４０が左側にある定位スイッチ４１と当接した後、風吹出口３３と塗料噴きつけ口３８とが作動を止める。
１１、動力モータ４４が作動し、電動レール３５が作動して上定位板３０と、下定位板４２と、運動板３９とを復帰させ、切替モータ４５が作動してパラボラアンテナ２４を回転させて開口を上方に向かせ、電磁石２３を停電させ、この時にパラボラアンテナ２４を取り出せば良い。
【００２１】
以上の方式により、当該分野の従業員は本願発明の範囲内で作業状況に応じて様々な改変を加えることができる。
【要約】
【課題】本発明は衛星信号に対する受信機の表面処理装置を開示した。
【解決手段】
本願に記載の衛星信号に対する受信機の表面処理装置は、主支持板を含み、前記主支持板の右端面には切替軸が回転可能に設置され、前記切替軸の上端面には回転モータが固定的に設置され、前記回転モータの上端には回転軸が伝動可能に連結され、前記回転軸の上端には支持機構が設置され、本願発明はパラボラアンテナにサンドペーパーで研磨を行い、研磨が終わると自動的に塗料を噴きつけることで、パラボラアンテナの表面が処理され、人力による処理と比べて効率が向上し、また、本願発明は調整せずにサイズが異なるパラボラアンテナに適応でき、即ち本願発明は適応範囲が広く、大量のパラボラアンテナに対して処理を行える。
【選択図】図１【図１】
0006786031.tif 000002
【図２】
0006786031.tif 000003
【図３】
0006786031.tif 000004
【図４】
0006786031.tif 000005